(57)【要約】【課題】診断に用いられる器官の色を客観的で精度良く計測できる器官色計測システムの技術を提供する。【解決手段】東洋医学の舌診では、舌の色等を見て疾病などの診断を行える。この舌診を利用した器官色計測システムでは、デジタルカメラで撮影して得られた舌画像における舌色に対して色座標の変換を行い、ＸＹＺ表色系のｘｙｚ値を算出する。ここで、舌色に現れる血液の色の特性を考慮すると、舌色はｙ値の変化が少なく、ｘ値およびｚ値のバランスが顕著に変化するため、(ｘ−ｚ)を舌色の計測に利用する。このように舌色の計測結果を(ｘ−ｚ)で表して一次元の情報に減じることにより、診断に用いられる舌色(器官の色)を客観的で精度良く計測できることとなる。【選択図】図５
2005137680.tif 000002
【特許請求の範囲】
【請求項１】
器官色計測システムであって、
(a)粘膜で覆われ下地から乳頭が突起している器官を撮像し、器官の画像を取得する撮像手段と、
(b)前記器官の画像において、前記下地が写る下地画像部分を抽出する抽出手段と、
(c)前記下地画像部分に基づき、前記下地の色に関する所定の計測を行い、計測結果を出力する計測手段と、
を備え、
前記下地の色の計測結果は、前記器官を持つ人についての診断に用いられることを特徴とする器官色計測システム。
【請求項２】
請求項１に記載の器官色計測システムにおいて、
前記抽出手段は、
(b-1)前記器官の画像において、前記乳頭が写る乳頭画像部分を抽出する手段、
を有するとともに、
前記計測手段は、
(c-1)前記乳頭画像部分に基づき、前記乳頭の色に関する所定の計測を行い、計測結果を出力する手段、
を有し、
前記乳頭の色の計測結果は、前記器官を持つ人についての診断に用いられることを特徴とする器官色計測システム。
【請求項３】
器官色計測システムであって、
(a)粘膜で覆われ下地から乳頭が突起している器官を撮像し、器官の画像を取得する撮像手段と、
(b)前記器官の画像において、前記乳頭が写る乳頭画像部分を抽出する抽出手段と、
(c)前記乳頭画像部分に基づき、前記乳頭の色に関する所定の計測を行い、計測結果を出力する計測手段と、
を備え、
前記乳頭の色の計測結果は、前記器官を持つ人についての診断に用いられることを特徴とする器官色計測システム。
【請求項４】
請求項１または請求項２に記載の器官色計測システムにおいて、
前記計測手段は、
(c-2)前記下地画像部分に関する色を、三次元色空間に係る３の座標値として計測する手段と、
(c-3)前記３の座標値を入力変数とする所定の関数により、前記計測結果として１の数値情報を出力する手段と、
を有することを特徴とする器官色計測システム。
【請求項５】
請求項１または請求項２に記載の器官色計測システムにおいて、
前記計測手段は、
(c-4)前記下地画像部分に関する色を、ＸＹＺ色空間に係るｘ座標値、ｙ座標値、およびｚ座標値として計測する手段と、
(c-5)前記ｘ座標値と前記ｚ座標値とを入力変数とする所定の関数により、前記計測結果として１の数値情報を出力する手段と、
を有することを特徴とする器官色計測システム。
【請求項６】
請求項５に記載の器官色計測システムにおいて、
前記所定の関数は、前記ｘ座標値から前記ｚ座標値を減算した結果を、前記１の数値情報として出力することを特徴とする器官色計測システム。
【請求項７】
請求項２または請求項３に記載の器官色計測システムにおいて、
前記計測手段は、
(c-6)前記乳頭画像部分に関する色を、三次元色空間に係る３の座標値として計測する手段と、
(c-7)前記３の座標値を入力変数とする所定の関数により、前記計測結果として１の数値情報を出力する手段と、
を有することを特徴とする器官色計測システム。
【請求項８】
請求項２または請求項３に記載の器官色計測システムにおいて、
前記計測手段は、
(c-8)前記乳頭画像部分に関する色を、ＸＹＺ色空間に係るｘ座標値、ｙ座標値、およびｚ座標値として計測する手段と、
(c-9)前記ｚ座標値を入力変数とする所定の関数により、前記計測結果として１の数値情報を出力する手段と、
を有することを特徴とする器官色計測システム。
【請求項９】
請求項８に記載の器官色計測システムにおいて、
前記所定の関数は、１から前記ｚ座標値を減算した結果を、前記１の数値情報として出力することを特徴とする器官色計測システム。
【請求項１０】
請求項１ないし請求項９のいずれかに記載の器官色計測システムにおいて、
前記器官は、舌であることを特徴とする器官色計測システム。
【請求項１１】
器官色計測システムが有するコンピュータにおいて実行されることにより、当該器官色計測システムを請求項１ないし請求項１０のいずれかに記載の器官色計測システムとして機能させることを特徴とするプログラム。
【発明の詳細な説明】
【技術分野】
【０００１】
本発明は、器官を撮像し、診断に用いられる器官の画像を取得する器官色計測システムの技術に関する。
【背景技術】
【０００２】
東洋医学においては、舌の状態を観察することにより健康状態や病状を診断する診断手法（舌診）がある。
【０００３】
この舌診については、例えば特許文献１に開示されており、患者の舌像と過去の標準的な舌像(標準舌像)とを対比し舌(下地)や苔(乳頭)の色などを比較することによって、経験等に頼らずに診断できる診断支援技術が記載されている。
【０００４】
【特許文献１】特許第２７６３９８９号公報
【発明の開示】
【発明が解決しようとする課題】
【０００５】
上記の特許文献１の技術では、医師などが目視により舌器官の色である舌色・苔色を判断するため、色の識別を客観的に行うことは困難である。また、舌色・苔色においては、舌を照明する照明光の分光特性などにより条件等色(メタメリズム)が生じるため、目視などに頼っては精度の良い色の識別を行えない。
【０００６】
本発明は、上記課題に鑑みてなされたものであり、診断に用いられる器官の色を客観的で精度良く識別できる器官色計測システムの技術を提供することを目的とする。
【課題を解決するための手段】
【０００７】
上記の課題を解決するため、請求項１の発明は、器官色計測システムであって、(a)粘膜で覆われ下地から乳頭が突起している器官を撮像し、器官の画像を取得する撮像手段と、(b)前記器官の画像において、前記下地が写る下地画像部分を抽出する抽出手段と、(c)前記下地画像部分に基づき、前記下地の色に関する所定の計測を行い、計測結果を出力する計測手段とを備え、前記下地の色の計測結果は、前記器官を持つ人についての診断に用いられる。
【０００８】
また、請求項２の発明は、請求項１の発明に係る器官色計測システムにおいて、前記抽出手段は、(b-1)前記器官の画像において、前記乳頭が写る乳頭画像部分を抽出する手段を有するとともに、前記計測手段は、(c-1)前記乳頭画像部分に基づき、前記乳頭の色に関する所定の計測を行い、計測結果を出力する手段を有し、前記乳頭の色の計測結果は、前記器官を持つ人についての診断に用いられる。
【０００９】
また、請求項３の発明は、器官色計測システムであって、(a)粘膜で覆われ下地から乳頭が突起している器官を撮像し、器官の画像を取得する撮像手段と、(b)前記器官の画像において、前記乳頭が写る乳頭画像部分を抽出する抽出手段と、(c)前記乳頭画像部分に基づき、前記乳頭の色に関する所定の計測を行い、計測結果を出力する計測手段とを備え、前記乳頭の色の計測結果は、前記器官を持つ人についての診断に用いられる。
【００１０】
また、請求項４の発明は、請求項１または請求項２の発明に係る器官色計測システムにおいて、前記計測手段は、(c-2)前記下地画像部分に関する色を、三次元色空間に係る３の座標値として計測する手段と、(c-3)前記３の座標値を入力変数とする所定の関数により、前記計測結果として１の数値情報を出力する手段とを有する。
【００１１】
また、請求項５の発明は、請求項１または請求項２の発明に係る器官色計測システムにおいて、前記計測手段は、(c-4)前記下地画像部分に関する色を、ＸＹＺ色空間に係るｘ座標値、ｙ座標値、およびｚ座標値として計測する手段と、(c-5)前記ｘ座標値と前記ｚ座標値とを入力変数とする所定の関数により、前記計測結果として１の数値情報を出力する手段とを有する。
【００１２】
また、請求項６の発明は、請求項５の発明に係る器官色計測システムにおいて、前記所定の関数は、前記ｘ座標値から前記ｚ座標値を減算した結果を、前記１の数値情報として出力する。
【００１３】
また、請求項７の発明は、請求項２または請求項３の発明に係る器官色計測システムにおいて、前記計測手段は、(c-6)前記乳頭画像部分に関する色を、三次元色空間に係る３の座標値として計測する手段と、(c-7)前記３の座標値を入力変数とする所定の関数により、前記計測結果として１の数値情報を出力する手段とを有する。
【００１４】
また、請求項８の発明は、請求項２または請求項３の発明に係る器官色計測システムにおいて、前記計測手段は、(c-8)前記乳頭画像部分に関する色を、ＸＹＺ色空間に係るｘ座標値、ｙ座標値、およびｚ座標値として計測する手段と、(c-9)前記ｚ座標値を入力変数とする所定の関数により、前記計測結果として１の数値情報を出力する手段とを有する。
【００１５】
また、請求項９の発明は、請求項８の発明に係る器官色計測システムにおいて、前記所定の関数は、１から前記ｚ座標値を減算した結果を、前記１の数値情報として出力する。
【００１６】
また、請求項１０の発明は、請求項１ないし請求項９のいずれかの発明に係る器官色計測システムにおいて、前記器官は、舌である。
【００１７】
また、請求項１１の発明は、器官色計測システムが有するコンピュータにおいて実行されることにより、当該器官色計測システムを請求項１ないし請求項１０のいずれかの発明に係る器官色計測システムとして機能させるプログラムである。
【発明の効果】
【００１８】
請求項１ないし請求項１１の発明によれば、器官の画像から抽出される下地画像部分や乳頭画像部分に基づき、下地や乳頭の色に関する所定の計測を行い、計測結果を出力するため、診断に用いられる下地や乳頭(器官)の色を客観的で精度良く識別できる。
【００１９】
特に、請求項４の発明においては、下地画像部分に関する色を三次元色空間に係る３の座標値として計測し、３の座標値を入力変数とする所定の関数により計測結果として１の数値情報を出力するため、下地の色を容易に識別できる。
【００２０】
また、請求項５の発明においては、下地画像部分に関する色をＸＹＺ色空間に係るｘ座標値、ｙ座標値およびｚ座標値として計測し、ｘ座標値とｚ座標値とを入力変数とする所定の関数により計測結果として１の数値情報を出力するため、下地の色を容易に精度良く識別できる。
【００２１】
また、請求項６の発明においては、所定の関数はｘ座標値からｚ座標値を減算した結果を１の数値情報として出力するため、下地の色を一層精度良く識別できる。
【００２２】
また、請求項７の発明においては、乳頭画像部分に関する色を三次元色空間に係る３の座標値として計測し、３の座標値を入力変数とする所定の関数により計測結果として１の数値情報を出力するため、乳頭の色を容易に識別できる。
【００２３】
また、請求項８の発明においては、乳頭画像部分に関する色をＸＹＺ色空間に係るｘ座標値、ｙ座標値およびｚ座標値として計測し、ｚ座標値を入力変数とする所定の関数により計測結果として１の数値情報を出力するため、乳頭の色を容易に精度良く識別できる。
【００２４】
また、請求項９の発明においては、所定の関数は１からｚ座標値を減算した結果を１の数値情報として出力するため、乳頭の色を一層精度良く識別できる。
【００２５】
また、請求項１０の発明においては、器官が舌であるため、舌診による診断を行える。
【発明を実施するための最良の形態】
【００２６】
＜器官色計測システムの要部構成＞
器官色計測システムの構成を説明する前に、まず健康状態などの診断手法について以下で説明する。
【００２７】
健康状態を知る方法としては、検温、血圧、脈拍など家庭で手軽に実施できる診断から、血液検査、検尿、心電図、Ｘ線撮影など職場や自治体で実施される診断、さらにはＣＴ、ＭＲＩなど医療機関で実施される高度な検査などがある。
【００２８】
一方、東洋医学には舌診という診断方法があり、舌(下地)や苔(乳頭)の色から体質や体調の偏りを判断できる。舌は全身状態の変化が表れやすく全身を写す鏡と言われている。すなわち、舌組織には血管が豊富で、表面には角質層がなく粘膜で覆われているため、その色は血液や体液の色を反映しており、日焼けや人種などによる影響を受けないという利点がある。
【００２９】
以上のような舌診で用いられる舌色や苔色(舌器官の色)を計測する器官色計測システムの具体的な構成を、以下で説明する。
【００３０】
図１は、本発明の実施形態に係る器官色計測システム１の要部構成を示す概略図である。
【００３１】
器官色計測システム１は、受診者の舌ＴＮを撮影するカメラ２と、カメラ２とケーブルＣＢを介して通信可能に接続する処理装置３とを備えている。
【００３２】
カメラ２は、例えばデジタルカメラとして構成されており、背面に例えば液晶ディスプレイなどの表示部２０が設けられるとともに、鏡胴から伸びるアームの先端に固定された２灯式のフラッシュ２１(２１ａ、２１ｂ)が設けられている。
【００３３】
フラッシュ２１は、舌ＴＮに対して特定の色温度(分光特性)で照明光を照射する。また、フラッシュ２１は、撮像される舌ＴＮの照度が一定となるように、舌ＴＮまでの距離情報に基づく発光量の制御が可能となっている。
【００３４】
処理装置３は、例えばパーソナルコンピュータとして構成されており、画像データの処理が可能である。この処理装置３は、箱状の形状を有する処理部３０と、操作部３１と、例えばＣＲＴで構成される表示部３２とを有している。
【００３５】
処理部３０の前面には、光ディスク９を挿入するドライブ３０１が設けられている。
【００３６】
操作部３１は、マウス３１１とキーボード３１２とを有しており、処理装置３に対する操作入力を受付ける。
【００３７】
図２は、器官色計測システム１の機能ブロックを示す図である。
【００３８】
カメラ２は、光学ユニット２１を介して舌ＴＮを撮像する撮像部２２と、これら各部と伝送可能に接続する制御部２３とを備えている。また、カメラ２は、制御部２３と伝送可能に接続する通信部Ｉ／Ｆ２４を備えている。
【００３９】
光学ユニット２１は、レンズ群とレンズ群の配置を変更する駆動部とを有し、フォーカスやズームを行って舌ＴＮの光学像を撮像部２２に結像させる。
【００４０】
撮像部２２は、例えば３バンド(ＲＧＢ)のフィルタがベイヤー配列されたＣＣＤなどの撮像素子を有しており、ＲＧＢの画像信号を生成する。すなわち、撮像部２２は、互いに異なる３の波長帯域(ＲＧＢ)の光をそれぞれ透過させるフィルタを有するとともに、舌ＴＮを撮像して舌器官の画像を取得する撮像手段として機能する。そして、撮像部２２で受診者の舌ＴＮのアナログ画像信号を取得した後には、Ａ／Ｄ変換を行ってデジタル信号の画像データを生成する。
【００４１】
通信Ｉ／Ｆ２４は、ケーブルＣＢを介して処理装置３とデータ伝送するためのインターフェースである。
【００４２】
制御部２３は、ＣＰＵを有しており、カメラ２の動作を統括制御する部位である。また、制御部２３は、撮像部２２で取得した画像データを通信Ｉ／Ｆ２４を介して処理装置３に送信するための制御を行う。
【００４３】
処理装置３は、上記の操作部３１および表示部３２に伝送可能に接続する制御部３３を備えている。また、処理装置３は、制御部３３に伝送可能に接続する記憶部３４と、画像処理部３５と、入出力Ｉ／Ｆ３６と、通信Ｉ／Ｆ３７とを備えている。
【００４４】
記憶部３４は、例えばハードディスクとして構成されており、後述の器官色計測プログラムＤＰを格納する。
【００４５】
画像処理部３５は、カメラ２で撮影された画像データに対して画像処理を行う部位である。
【００４６】
入出力Ｉ／Ｆ３６は、ドライブ３０１を介し、記録媒体である光ディスク９に対してデータの入出力を行うためのインターフェースである。
【００４７】
通信Ｉ／Ｆ３７は、ケーブルＣＢを介してカメラ２とデータ伝送するためのインターフェースである。
【００４８】
制御部３３は、コンピュータとして働くＣＰＵ３３１およびメモリ３３２を有しており、処理装置３の動作を統括制御する部位である。この制御部３３において器官色計測プログラムＤＰが実行されることにより、撮影された舌ＴＮに関する舌色および苔色(器官色)を計測するための動作が処理装置３で行われる（後で詳述）。
【００４９】
制御部３３のメモリ３３２には、光ディスク９に記録されている器官色計測プログラムＤＰなどのプログラムデータを入出力Ｉ／Ｆ３６を介して格納することができる。これにより、この格納したプログラムを処理装置３の動作に反映できることとなる。
【００５０】
＜器官色計測システム１の動作について＞
図３は、器官色計測システム１の基本的な動作を示すフローチャートである。この動作は、処理装置３内の器官色計測プログラムＤＰを制御部３３で実行することにより、実施される。
【００５１】
まず、カメラ２によって取得された舌ＴＮの画像データから、処理装置３において舌領域を抽出する(ステップＳ１)。
【００５２】
ステップＳ２では、下地と乳頭との色を計測する。
【００５３】
ステップＳ３では、ステップＳ２で計測された色に対して色座標の変換を行う。
【００５４】
ステップＳ４では、ステップＳ３で色座標の変換が行われた色の解析を行う。
【００５５】
以上のような動作が器官色計測システム１にて行われるが、以下ではステップＳ１〜Ｓ４の動作を分説する。
【００５６】
＜１．舌領域の抽出＞
処理装置３の画像処理部３５では、カメラ２で撮影された舌ＴＮの画像データから、舌領域の抽出が行われる。この抽出処理について、以下で説明する。
【００５７】
まず、カメラ２によって、舌ＴＮを中心として顔の下半分が撮影されるように撮影画像Ｆ１(図４)を取得する。この場合、撮影画像Ｆ１には、舌ＴＮの他に顔の表面や唇、歯などが写っている。
【００５８】
そこで、撮影画像Ｆ１の輝度エッジに基づき、舌ＴＮの領域を抽出する。具体的には、各画素のＧデータにおいて４近傍（上下左右）の差分をとり、その差分値(輝度差)が所定の閾値αを超える画素を抽出して舌領域のエッジを決定する。この場合には、舌ＴＮの周囲には、口腔や歯、舌の影などによる輝度差が存在するため、これらと区別して舌ＴＮの検出が可能となる輝度差の閾値αを設定する。これにより、撮影画像Ｆ１から舌ＴＮの領域のみを抽出できる。
【００５９】
＜２．色の計測＞
撮影画像Ｆ１から抽出された舌領域に基づき、舌ＴＮに関する下地および乳頭の色を計測する。この色の計測について、以下で説明する。
【００６０】
図４の画像Ｆ２は、舌ＴＮの表面を拡大した画像である。舌ＴＮは、粘膜で覆われており、下地ＳＪから突起する多くの糸状乳頭（以下では単に「乳頭」ともいう）ＮＴが舌表面のほぼ全面に分布している。この乳頭ＮＴには、血管がないため、通常は半透明から白色に見える。一方、乳頭ＮＴ以外の下地ＳＪ(平行斜線部)には毛細血管が豊富であるため、血液の色が現れて赤く見える。
【００６１】
このような乳頭ＮＴおよび下地ＳＪは、その色の特徴を利用して画像処理部３５で領域判別が行われる。つまり、乳頭ＮＴは白色のため、ＲＧＢの数値はほぼ等しいが、下地ＳＪは紅色のため、Ｇと比較して特にＲの数値が大きくなる。そこで、撮影した舌画像のデータにおいて各画素のＲとＧとの比、例えばＲ／Ｇを演算する。そして、演算結果が閾値βを超える紅い領域を下地ＳＪの部分、それ以外の白い領域を乳頭ＮＴの部分と判断する。これにより、舌画像において、下地が写る下地画像部分と乳頭が写る乳頭画像部分とが抽出される。なお、上記の閾値βは、フラッシュ２１の色温度やカメラ２のフィルタ特性などを考慮して設定するのが好ましい。
【００６２】
次に、抽出された乳頭ＮＴの画像部分および下地ＳＪの画像部分に基づき乳頭ＮＴおよび下地ＳＪの色を処理装置３で計測する。
【００６３】
乳頭ＮＴにおける苔は、舌粘膜の乳頭が角化し、剥離した細胞や粘液、食べかす、細菌が付着したものであるため、計測された乳頭ＮＴの色が舌診で用いられる苔色となる。一方、乳頭ＮＴ以外の舌ＴＮの部分、つまり測定された下地ＳＪの色が舌診で用いられる舌色となる。
【００６４】
＜３．色座標の変換＞
計測された下地ＳＪおよび乳頭ＮＴの色に対しては、色座標の変換が行われるが、この色座標の変換について、以下で説明する。
【００６５】
カメラ２で取得された撮影画像は、照明(フラッシュ２１)やカメラ２の分光特性が反映された固有のＲＧＢデータとして形成されている。そこで、このＲＧＢデータを例えば国際照明委員会で規格化されたＸＹＺ（Ｙｘｙ）の色度座標に回帰式を用いて変換する。
【００６６】
具体的には、まずフラッシュ２１を発光させた状態で、ＸＹＺ色度値が既知である複数の色票（カラーチャート）を撮影し、撮影画像のＲＧＢデータを記録する。そして、撮影画像のＲＧＢデータと色票との関係から、次の式(１)の３×３行列（変換行列）の要素ａ11〜ａ33を求める。
【００６７】
【数１】
2005137680.tif 000003
【００６８】
上記の撮影により、色票のＸＹＺ値とカメラのＲＧＢ値との組合せが複数得られるため、前者を目的変量とし、後者を説明変量とした回帰分析により撮影画像のＲＧＢデータから色票のＸＹＺ色度値への変換行列が求められる。なお、得られる変換行列の一例としては、ａ11＝０.５、ａ12＝０.３、ａ13＝０.２、ａ21＝０.２、ａ22＝０.７、ａ23＝０.１、ａ31＝０、ａ32＝０、ａ33＝０.９という各要素を有する行列となる。
【００６９】
次に、実際に舌ＴＮを撮影して得られた下地ＳＪおよび乳頭ＮＴのＲＧＢデータを式(１)の右辺に代入し、既に求められている変換行列と乗算することにより、ＸＹＺ色度値を算出する。すなわち、下地ＳＪの画像部分および乳頭ＮＴの画像部分に関する色が三次元色空間に係る３の座標値として計測されることとなる。
【００７０】
以上のような色座標変換により、下地ＳＪの色(舌色)および乳頭ＮＴの色(苔色)に関して照明光等の分光特性を排除した絶対的な指標が得られる。
【００７１】
＜４．色の計測結果の生成＞
変換されたＸＹＺ値に基づき、下地ＳＪの色および乳頭ＮＴの色の計測結果が生成されるが、まずＸＹＺ色度値を、次の式(２)に基づいてｘｙｚ色度値に変換する。
【００７２】
【数２】
2005137680.tif 000004
【００７３】
次に、ｘｙｚ色度値を利用して下地ＳＪの色および乳頭ＮＴの色の計測結果が生成されるが、この計測結果の生成について以下で説明する。
【００７４】
＜４−１．下地ＳＪの色について＞
図５は、複数人の下地ＳＪの色(舌色)の測定値をプロットした図である。ここで、図５(ａ)はｘｙ色度図を示しており、図５(ｂ)はｘｚ色度図を示している。
【００７５】
図５(ａ)に示す各測定値においては、ｙ値が０.３２付近で変化せずにｘ値のみが変化している。
【００７６】
下地ＳＪでは、上述したように血液の色が現れる。そして、血液は、赤血球中のヘモグロビンの酸素飽和度や血液の濃度によって色が変化するものである。この血液の特性について、以下で詳述する。
【００７７】
図６は、ヘモグロビンに関する波長と吸収度との関係を示す図である。この図においては、酸素飽和度が高いヘモグロビン(oxy-Hb)のグラフＫａ(実線)と、酸素飽和度が低いヘモグロビン(deoxy-Hb)のグラフＫｂ(破線)とを示している。
【００７８】
ヘモグロビンは、その酸素飽和度の高低により、Ｒの波長域(約600〜700nm)とＢの波長域(約400〜500nm)とで吸収度が逆転する。一方、Ｇの波長域(約500〜600nm)では、酸素飽和度の違いによる吸収度の差が少ない。
【００７９】
そこで、このような血液の特性を考慮して、ｘｙｚの三次元色空間に係るｘ座標値、ｙ座標値およびｚ座標値を入力変数とする関数ｆ(ｘ,ｙ,ｚ)により、下地ＳＪの色の計測結果として１の数値情報を出力することを考える。
【００８０】
プロットされた各測定値においては、図５(ａ)に示すようにＧ値に関連するｙ値の変化は少ないものの、図５(ｂ)に示すようにＲ値およびＢ値に関連するｘ値およびｚ値のバランスは顕著に変化している。すなわち、ｘ値およびｚ値のバランスを計る(ｘ−ｚ)が小さいと紫色が表れ、(ｘ−ｚ)が大きくなるにつれて淡紅、深紅へと変化するが、これは酸素飽和度の変化に対応している。つまり、輝度に関連するｙ座標値を除外してｘ座標値とｚ座標値とを入力変数とし、ｘ座標値からｚ座標値を減算した結果を出力する関数（ｆ(ｘ,ｚ)＝ｘ−ｚ）を利用すれば、下地ＳＪの色を容易に識別するための１の数値情報を得られることとなる。
【００８１】
例えば、図５(ｂ)において点Ｐａの座標は、(ｘ,ｚ)＝(０.４２,０.２６)であるが、(ｘ−ｚ)は０.１６と小さいため紫色と識別できる。一方、点Ｐｂの座標は、(ｘ,ｚ)＝(０.５３,０.１５)であるが、(ｘ−ｚ)は０.３８と大きいため深紅色と識別できることとなる。
【００８２】
以上のように下地ＳＪの色の計測結果を(ｘ−ｚ)で表して一次元の情報に減じることにより、下地ＳＪの色の判定を容易に行えることとなる。また、(ｘ−ｚ)の方向は、図５(ｂ)に示すように色の分散が最大となる方向であり、色識別の精度を向上できる。
【００８３】
＜４−２．乳頭ＮＴの色について＞
図７は、複数人の乳頭ＮＴの色(苔色)の測定値をｘｙ色度図にプロットした図である。
【００８４】
苔は、上述したように舌粘膜の乳頭が角化し、剥離した細胞や粘液、食べかす、細菌が付着したものである。そして、この付着物から硫化水素（Ｈ2Ｓ）が発生することにより、ヘモグロビンなどと結合して硫化鉄（Ｆｅ2Ｓ3）が生成される場合には、黄色や褐色を呈することとなる。
【００８５】
そこで、このような苔色(乳頭ＮＴの色)の特性を考慮して、上述した下地ＳＪの色の場合と同様に、ｘｙｚの三次元色空間に係るｘ座標値、ｙ座標値およびｚ座標値を入力変数とする関数ｇ(ｘ,ｙ,ｚ)により、乳頭ＮＴの色の計測結果として１の数値情報を出力することを考える。
【００８６】
ｘｙ色度図において、黄色は白色からｘ＋ｙ方向に分布するものであり、これを苔色の分布とみなすことができる。ここで、式(２)から導かれるｘ＋ｙ＋ｚ＝１という関係を利用すれば、苔色は、(ｘ＋ｙ)＝(１−ｚ)の演算値で表現できることとなる。
【００８７】
すなわち、(１−ｚ)が小さいと白色が表れ、(１−ｚ)が大きくなるにつれて黄色、褐色へと変化する。つまり、ｚ座標値を入力変数とし、１からｚ座標値を減算した結果を出力する関数（ｇ(ｚ)＝１−ｚ）を利用すれば、乳頭ＮＴの色を容易に識別するための１の数値情報を得られることとなる。
【００８８】
例えば、図７において点Ｑａの座標は、(ｘ,ｙ)＝(０.４２,０.３１)であるが、(１−ｚ)は０.７３と比較的小さいため白色と識別できる。一方、点Ｑｂの座標は、(ｘ,ｙ)＝(０.４３,０.３７)であるが、(１−ｚ)は０.８と比較的大きいため黄色と識別できる。
【００８９】
以上のように乳頭ＮＴの色(苔色)の計測結果を(１−ｚ)で表して一次元の情報に減じることにより、乳頭ＮＴの色の判定を容易に行えることとなる。
【００９０】
以上のような器官色計測システム１の動作により、下地ＳＪの色の計測結果として(ｘ−ｚ)値を算出するとともに乳頭ＮＴの色の計測結果として(１−ｚ)値を算出するため、客観的で精度の良い色の識別が可能となり、撮影された舌器官を持つ人についての健康状態などの診断が容易となる。
【００９１】
なお、下地ＳＪの色(舌色)および乳頭ＮＴの色(苔色)の変化については、舌全体でなく舌の一部で部分的に表れる場合がある。これは、血液や体液の分布、乳頭の再生能力などについて舌で偏りが生じるためであると考えられる。一方、舌診においては、色の変化が生じる舌の場所によって疾病の存在する臓器を特定できる。以上のことから、下地ＳＪの色や乳頭ＮＴの色の計測においては、舌画像から抽出する範囲を限定するのも有効である。
【００９２】
そこで、例えば医師が器官色計測システム１を使用して色の計測を行う場合には、操作部３１を操作することによって、舌画像が表示される表示部３２の画面上で計測範囲を指定できるようにする。これにより、所望する舌画像の一部において計測データを得られることとなる。
【００９３】
また、器官色計測システム１において、舌画像を複数の領域に分割して分割領域ごとに下地ＳＪの色および乳頭ＮＴの色を測定し、健康な人との差異が大きくなる分割領域を代表値として利用するようにしても良い。
【００９４】
すなわち、健康な人に関する下地ＳＪの色の平均値は、(ｘ,ｙ)＝(０.４５,０.３２)程度となっており、(ｘ−ｚ)は０.２３となる。よって、受診者の下地ＳＪの色を分割領域ごとに計測し、計測結果と０.２３との差異が大きくなる分割領域を代表として採用する。
【００９５】
同様に、健康な人に関する乳頭ＮＴの色の平均値は、(ｘ,ｙ)＝(０.４０,０.３２)程度となっており、(１−ｚ)は０.７２となる。よって、受診者の乳頭ＮＴの色を分割領域ごとに計測し、計測結果と０.７２との差異が大きくなる分割領域を代表として採用する。
【００９６】
以上のように舌画像の計測範囲を自動的に指定することでも、下地ＳＪの色や乳頭ＮＴの色を適切に計測でき、舌診を精度良く行えることとなる。
【００９７】
＜変形例＞
◎上記の実施形態における下地の色については、(ｘ−ｚ)を計測結果をとして算出するのは必須でなく、(ｘ/ｚ)を計測結果として算出しても良い。すなわち、ｘ座標値をｚ座標値で除算した結果を出力する関数を利用しても、適切に下地の色を識別できる１の数値情報を得られることとなる。
【００９８】
◎上記の実施形態における乳頭の色については、(１−ｚ)を計測結果として算出するのは必須でなく、ｚ値を計測結果としても良い。すなわち、ｚ座標値を入力変数とする関数を利用しても、適切に乳頭ＮＴの色を容易に識別するための１の数値情報を得られることとなる。
【００９９】
◎上記の実施形態における撮像部２２においては、ＲＧＢ３バンドのフィルタを有するのは必須でなく、４バンド以上のフィルタを有しても良い。
【０１００】
図８は、本発明の変形例に係る撮像素子４を示す図である。
【０１０１】
撮像素子４は、撮像センサ４１の前面にレンズアレイ４２とフィルタアレイ４３とが設けられている。このフィルタアレイ４３は、９つの領域に分割され、それぞれの領域では互いに異なる透過波長の特性を有している。すなわち、フィルタアレイ４３は、互いに異なる９の波長帯域の光をそれぞれ透過させるフィルタとして機能する。このような構成の撮像素子４により９バンドの分光画像が取得できる。
【０１０２】
そして、回帰によってＸＹＺ値を推定する場合には、上記の撮像素子４のように多くのバンド数で撮影すれば説明変量が多くなるため、精度が向上することとなる。
【０１０３】
◎上記の実施形態における乳頭と下地との領域判別(抽出)については、可視光の波長で判別するのは必須でなく、可視光以外の波長で判別するようにしても良い。図６に示すようにヘモグロビンは短波長の光を多く吸収するため、紫外線など短波長の光を照射して撮影することにより、下地は一層暗く撮影される一方、反射率が変化しない乳頭の明るさは変化しない。よって、紫外線などの光を舌に照射して撮影することによって、乳頭と下地との領域判別をより適切に行えることとなる。
【０１０４】
◎上記の実施形態における色座標の変換については、ＸＹＺ(Ｙｘｙ)表色系に変換するのは必須でなく、三次元色空間を有するＬａｂ表色系やＬｕｖ表色系などに変換するようにしても良い。
【０１０５】
◎上記の実施形態においては、舌に関する色に限らず、口腔や消化管など粘膜で覆われる臓器(器官)の色で診断するようにしても良い。粘膜で覆われる臓器においては乳頭を有するものが多く、この乳頭の色および臓器の下地の色を計測すれば、舌の場合と同様に疾病などの診断が行えるものと考えられる。例えば、内視鏡によって胃の内壁などを撮影し、撮影画像から乳頭および下地を抽出して色の計測を行えば、舌診と同様に診断を行えることとなる。
【０１０６】
◎上記の実施形態においては、式(１)に示すようにＲＧＢの３入力と３×３の変換行列とを乗算してＸＹＺ値を算出するのは必須でなく、次の式(５)にしめすように二次の項（Ｒ×Ｂ、Ｒ×Ｇ、Ｇ×Ｂ）を追加した６入力と３×６の変換行列とを乗算してＸＹＺ値を算出するようにしても良い。
【０１０７】
【数３】
2005137680.tif 000005
【０１０８】
これにより、算出されるＸＹＺ値の精度が向上することとなる。
【０１０９】
また、上述した色票(カラーチャート)の代わりに実際の舌を撮影して計測データを求めることにより、ＸＹＺ値の算出精度を向上することができる。
【０１１０】
◎上記の実施形態においては、カメラと処理装置とに分けて器官色計測システムを構成するのは必須でなく、処理装置の機能をカメラ側で有するようにしても良い。これにより、カメラ単体で舌を撮影して診断結果をカメラの表示部２０(図１)に表示することができ、受診者の利便性が向上する。
【図面の簡単な説明】
【０１１１】
【図１】本発明の実施形態に係る器官色計測システム１の要部構成を示す概略図である。
【図２】器官色計測システム１の機能ブロックを示す図である。
【図３】器官色計測システム１の基本的な動作を示すフローチャートである。
【図４】舌画像を説明するための図である。
【図５】複数人の下地の色(舌色)の測定値をプロットした図である。
【図６】ヘモグロビンに関する波長と吸収度との関係を示す図である。
【図７】複数人の乳頭ＮＴの色(苔色)の測定値をｘｙ色度図にプロットした図である。
【図８】本発明の変形例に係る撮像素子４を示す図である。
【符号の説明】
【０１１２】
１  器官色計測システム  
２  カメラ
３  処理装置
２１、２１ａ、２１ｂ  フラッシュ
２２  撮像部
３３  制御部
３５  画像処理部
ＤＰ  器官色計測プログラム
ＮＴ  乳頭
ＳＪ  下地
ＴＮ  舌
【図１】
2005137680.tif 000006
【図２】
2005137680.tif 000007
【図３】
2005137680.tif 000008
【図４】
2005137680.tif 000009
【図５】
2005137680.tif 000010
【図６】
2005137680.tif 000011
【図７】
2005137680.tif 000012
【図８】
2005137680.tif 000013